(57)【要約】【課題】シンプルな構成によって多心用コネクタプラグを形成することができ、アダプタに対するプラグの高密度実装を可能とし、しかも、アダプタに対してワンタッチで且つ迅速に脱着可能とした多連結型光コネクタを提供する。【解決手段】光ケーブルＫに接続する複数のフェルール２ａの各先端側を挿入する複数の挿入孔３を有する前側ケース部１ａと、各フェルール２ａの後端側が各スプリング２ｄを介して挿入する複数の挿入孔３’を有する後側ケース部１ｂとを備え、両ケース部１ａ、１ｂは互いに組み合わせ固定することで、複数のフェルール２ａを並列収納する単一のケース１を形成する。【選択図】図１
2012053375.tif 000002
【特許請求の範囲】
【請求項１】
光ケーブルに接続される複数のフェルールの各先端側が挿入される複数の挿入孔を有する前側ケース部と、各フェルールの後端側が各スプリングを介して挿入される複数の挿入孔を有する後側ケース部とを備え、両ケース部は互いに組み合わせ固定されることで、複数のフェルールを並列収納する単一のケースを形成してなることを特徴とする多連結型光コネクタ。
【請求項２】
ケースとストップリングとに跨って外側から互いに合致連結して固定される上下一対のホルダ部を備えた請求項１記載の多連結型光コネクタ。
【請求項３】
ケースとホルダ部との組み合わせによってプラグフレームを構成し、該プラグフレームにツマミを外装することでプラグ本体が形成される請求項１または２記載の多連結型光コネクタ。
【請求項４】
ケースには、アダプタ内壁に形成された係合弾性片に係合する係合部を設けることで当該アダプタに対する抜け止め機構を形成している請求項１乃至３のいずれかに記載の多連結型光コネクタ。
【発明の詳細な説明】
【技術分野】
【０００１】
本発明は、複数の光コネクタプラグを並列状態に連結して多心用コネクタプラグとして使用可能とした多連結型光コネクタに関する。
【背景技術】
【０００２】
従来、特許文献１に開示されているように、複数の光コネクタプラグを横並び状態に連結して多心用コネクタプラグとして使用可能とする光コネクタ連結構造体がある。この光コネクタ連結構造体は、光コネクタクリップを介して互いに連結されている光コネクタプラグ同士に対し、これらを互いに引き離すような無理な引っ張り力が外部から働いても、光コネクタクリップから各光コネクタプラグが離脱されずに安定した保持状態を常に維持するものとなっている。
【０００３】
すなわち、この光コネクタ連結構造体は、外周に環状溝もしくはリング型突起状の被嵌合部を形成してなるブーツと、該ブーツの被嵌合部に嵌合されるよう内周にリング型突起状もしくは環状溝の嵌合部を備えた複数のブーツ挿入部が並設されたクリップ体と、複数のブーツ挿入部にわたる外側面から斜めに突出された弾性を有する突出プレートと、アダプタと係合するよう各プラグ本体の先端から後方へ向けて斜めに設けられたラッチ片とを備えてなる。
【０００４】
そして、クリップ体は、ラッチ片が突出プレートにそれぞれ係合され、突出プレートをクリップ体側に向けて押圧させることによって各ラッチ片をプラグ本体に近づく方向に変位させるものとなっている。
【０００５】
こうして、クリップ体の突出プレートに、両プラグ本体の各ラッチ片がそれぞれ先端同士で係合され、一対のブーツがプラグ本体と共に二連並列状態となってクリップ体に保持固定されている。
【先行技術文献】
【特許文献】
【０００６】
【特許文献１】特開２００８−１２２５０６号公報
【発明の概要】
【発明が解決しようとする課題】
【０００７】
しかしながら、従来におけるコネクタ連結構造体は、一対のブーツがプラグ本体と共にクリップ体の複数のブーツ挿入部に各挿入されて当該クリップ体に二連並列状態となって保持固定されると同時に、クリップ体は、複数のブーツ挿入部にわたる外側面から斜めに突出されてた突出プレートに、各プラグ本体の先端から後方へ向けて斜めに設けられたラッチ片がそれぞれ係合されるものとなっているので、一対のブーツに対応した一対のブーツ挿入部の形成、各プラグ本体のラッチ片の形成、ラッチ片に係合させる突出プレートの形成等々、非常に複雑な機構となってしまっており、高密度エリア内での操作性が余り良くないという問題点を有している。
【０００８】
そこで、本発明は、叙上のような従来存した諸事情に鑑み案出されたもので、シンプルな構成によって多心用コネクタプラグを形成することができ、アダプタに対するプラグの高密度実装を可能とし、しかも、アダプタに対してワンタッチで且つ迅速に脱着可能とした多連結型光コネクタを提供することを目的とする。
【課題を解決するための手段】
【０００９】
上述した課題を解決するために、本発明にあっては、光ケーブルに接続される複数のフェルールの各先端側が挿入される複数の挿入孔を有する前側ケース部と、各フェルールの後端側が各スプリングを介して挿入される複数の挿入孔を有する後側ケース部とを備え、両ケース部は互いに組み合わせ固定されることで、複数のフェルールを並列収納する単一のケースを形成してなることを特徴とする。
【００１０】
ケースとストップリングとに跨って外側から互いに合致連結して固定される上下一対のホルダ部を備える。
【００１１】
ケースとホルダ部との組み合わせによってプラグフレームを構成し、該プラグフレームにツマミを外装することでプラグ本体が形成される。
【００１２】
ケースには、アダプタ内壁に形成された係合弾性片に係合する係合部を設けることで当該アダプタに対する抜け止め機構を形成している。
【発明の効果】
【００１３】
本発明によれば、シンプルな構成によって多心用コネクタプラグを形成することができ、アダプタに対するプラグの高密度実装を可能とし、しかも、アダプタに対してワンタッチで且つ迅速に脱着可能とした多連結型光コネクタを提供することができる。
【００１４】
すなわち、本発明は、単一のケース内に、光ケーブルに接続される複数のフェルールを各スプリングを介して並列状に収納可能としているので、シンプルな構成による多心用コネクタプラグを容易に作製することができる。
【００１５】
例えば、ＬＣ２芯スリムパックアダプタの取り付け穴よりわずかに大きい寸法で４芯の光コネクタプラグが形成可能となる。これにより、同一面積の通信装置に取付けることが出来る心線の本数が二倍になり、多連式光アダプタに対するプラグの高密度実装が可能となる。
【００１６】
そして、ケースは、各フェルールの先端側が挿入される複数の挿入孔を有する前側ケース部と、各フェルールの後端側が各スプリングを介して挿入される複数の挿入孔を有する後側ケース部とから成り、両ケース部は、互いに組み合わされて固定可能に形成されているので、各ケース部の両挿入孔を介して、複数のフェルールを各スプリングと共に容易に並列収納することができる。
【００１７】
また、ケースとストップリングとに跨って外側から互いに合致連結して固定される上下一対のホルダ部を備えているので、この両ホルダ部により、ケースとストップリングとの間に露出している、各フェルールに対応した複数の光ケーブルを外方から覆って保護することができる。
【００１８】
ケースとホルダ部との組み合わせによってプラグフレームを構成し、該プラグフレームにツマミを外装することでプラグ本体が形成されるので、多連式光アダプタに対して高密度実装が可能となるプラグ本体を容易に作製することができる。
【００１９】
ケースには、アダプタ内壁に形成された係合弾性片に係合する係合部を設けることで当該アダプタに対する抜け止め機構を形成しているので、アダプタ内壁の係合弾性片と、ケース側の係合部だけでシンプルな抜け止め機構を形成することができ、ＭＵコネクタのようなロック構造により、ツマミを介してのケースの引っ張り操作のみにより、プラグ本体はアダプタに対してワンタッチで且つ迅速に抜脱可能となる。
【図面の簡単な説明】
【００２０】
【図１】本発明を実施するための一形態における多連結型光コネクタプラグ組み付け手順の一例を示すものであり、ケース内に各複数のフェルール、スプリングを組み付ける状態の分解斜視図である。
【図２】同じく複数のフェルール、スプリングを組み付けた後の状態のケースの斜視図である。
【図３】同じくケースとストップリングの外側に一対のホルダを嵌合する状態の斜視図である。
【図４】同じくケースとストップリングの外側に一対のホルダを嵌合した状態の斜視図である。
【図５】同じくカシメリングにブーツを嵌合した状態の斜視図である。
【図６】同じくケースとホルダによって形成されたプラグフレームにツマミを外装してプラグの組み付けを完成させた状態の斜視図である。
【図７】同じく完成後の多連結型光コネクタプラグの一例を示すもので、（ａ）は正面図、（ｂ）は背面図、（ｃ）は平面図、（ｄ）は側面図である。
【図８】（ａ）は図７中のＡ−Ａ断面図、（ｂ）は図７中のＢ−Ｂ断面図である。
【図９】（ａ）はプラグをアダプタに接続した状態の縦断面図、（ｂ）はプラグをアダプタに接続した状態の横断面図である。
【図１０】同じく４芯アダプタの一例を示し、（ａ）は正面図、（ｂ）は（ａ）のＣ−Ｃ断面図、（ｃ）は（ａ）のＤ−Ｄ断面図、（ｄ）は平面図、（ｅ）は側面図である。
【図１１】同じく４芯アダプタに対する多連結型光コネクタプラグの使用の一例を示す斜視図である。
【図１２】図中（ａ）乃至（ｃ）はアダプタからプラグ本体を抜去するための機構を説明する要部の断面図である。
【発明を実施するための形態】
【００２１】
以下、図面を参照して本発明に係る多連結型光コネクタの実施の一形態を詳細に説明する。
【００２２】
図１乃至図８に示すように、本発明に係る多連結型光コネクタのプラグ本体Ｐは、互いに嵌合接続可能とした前側ケース部１ａと後側ケース部１ｂとからなる略矩形筐体状の単一のケース１内に、例えば、２本のフェルール２ａ、フェルールホルダー２ｂ、チューブ２ｃ、スプリング２ｄが内蔵され、ストップリング２ｅ、カシメリング２ｆを介して後方にブーツＶが連設され、上下一対のホルダ部１１ａ、１１ｂがケース１とストップリング２ｅとの間に跨って外側から互いに合致連結して固定され、ケース１とホルダ部１１ａ、１１ｂとの組み合わせによって構成されたプラグフレームにツマミ１７を外装することで形成される。
【００２３】
すなわち、図１に示すように、ケース１の前側ケース部１ａには、各フェルール２ａの先端側が挿入される２つの挿入孔３、３が形成されている。これに対応すべくケース１の後側ケース部１ｂには、各フェルール２ａの後端側にある各チューブ２ｃがコイル状の各スプリング２ｄを介して挿入される２つの挿入孔３’、３’が形成されている。
【００２４】
両ケース部１ａ、１ｂは、互いに組み合わされた際には、前側ケース部１ａの各挿入孔３、３と、後側ケース部１ｂの各挿入孔３’、３’とが互いに連通し、その各内部にフェルール２ａ、該フェルール２ａと一体のフェルールホルダー２ｂ、チューブ２ｃ、スプリング２ｄそれぞれが収納される。そして、後側ケース部１ｂの上下対称位置に突設した左右一対の断面略直角三角形の係止突起５ａ、５ｂが、前側ケース部１ａの上下対称位置に穿設した左右一対の係止孔部６ａ、６ｂに係合されて互いに保持固定されることで、図２に示すように、２つのフェルール２ａを並列収納した単一のケース１となっている。
【００２５】
また、前側ケース部１ａの左右対称位置には、後述するアダプタ２０の内壁と係合するための突起状の係合部８と、ツマミ１７を外装した際に当該ツマミ１７を係止するための突起状の係止部９とが互いに前後で離間した位置に突設されている。
【００２６】
前側ケース部１ａの係合部８は、ツマミ１７を介してのプラグ本体Ｐの押圧操作によって、アダプタ２０の内壁において互いに内向きとなって対向突設されている左右一対の係合弾性片２１に係合するもので、これら係合部８および係合弾性片２１が当該アダプタ２０に対する抜け止め機構を形成している（図９（ａ）参照）。
【００２７】
一方、図１および図３に示すように、後側ケース部１ｂの略中間位置外周には、当該後側ケース部１ｂに組み合わされる前側ケース部１ａの後端縁部を係止するための角形環状のフランジ７が形成され、さらにその後側には、ケース１とストップリング２ｅとの間に跨って外側から互いに合致連結して固定される上下一対のホルダ部１１ａ、１１ｂの各前端縁部を係止するための突起状の係架部１０が突設されている。
尚、図１１ではプラグ本体Ｐおよびアダプタ２０が縦向きに配置されている。
【００２８】
さらに詳しくは、ケース１には、図３乃至図７に示すように、外側から互いに合致連結して固定される略矩形筐体状となった上下一対のホルダ部１１ａ、１１ｂを備えている。
【００２９】
すなわち、上側のホルダ部１１ａは、矩形平面板の左右縁側における前後箇所に、中央に係合孔１２ａを備えた係止片１２が突設され、且つ前側にはケース１の後端外周の係架部１０上半分と、ブーツＶ側のストップリング２ｅの外周の上半分とに跨って係架保持される矩形溝部１３ａおよび円弧溝部１３ｂがそれぞれ凹設されている。また、上側のホルダ部１１ａ内側の略中間位置には、円柱状の嵌合突起１４が形成されている（図８（ａ）および図９（ａ）参照）。
【００３０】
一方、下側のホルダ部１１ｂは、上記係止片１２に対応して左右縁側における前後箇所に窪みが形成され、この窪みの中央には前記係合孔１２ａに対応して係止突部１５が突設されている。そして、弾性を備えた係止片１２が窪みに嵌合されると同時に係止突部１５が係合孔１２ａに嵌合することで両ホルダ部１１ａ、１１ｂが組み合わせられる。また、下側のホルダ部１１ｂ前側にはケース１の後端外周の係架部１０下半分と、ブーツＶ側のストップリング２ｅの外周の下半分とに跨って係架保持される矩形溝部１３ａおよび円弧溝部１３ｂが上側のホルダ部１１ａと同様にしてそれぞれ凹設されている。また、下側のホルダ部１１ｂ内側の略中間位置には、前記円柱状の嵌合突起１４が嵌合する嵌合穴部１６が形成されている。
【００３１】
これら一対のホルダ部１１ａ、１１ｂは、各フェルール２ａに対応してケース１とストップリング２ｅとの間に露出している複数の光ケーブルＫを外方から覆うことで保護するものである（図３、図８、図９参照）。
【００３２】
また、既述したように、ケース１とホルダ部１１ａ、１１ｂとの組み合わせによって全体が略矩形筐体状となったプラグフレームが構成される（図４および図５参照）。そして、前記ツマミ１７は、図６および図７に示すように、このプラグフレームの略全体を覆うことのできる角筒状に形成されると共に、ツマミ１７の左右両側部前側寄りには、上記した前側ケース部１ａの係合部８が露出可能となるよう長方形状の開口部１７ａが形成されている。さらに、プラグフレームの前方側からツマミ１７が挿入された際には、ツマミ１７の開口部１７ａの後方内縁側に、前側ケース部１ａの係止部９が係止されることでプラグフレームがツマミ１７から抜けないようになっている。
【００３３】
アダプタ２０は、図１０（ａ）乃至図１０（ｃ）に示すように、矩形筐体状となった上下２段のハウジング２２の中央部を前後で仕切るように配された左右一対の接合端壁の一方に、一方の円筒２３ａがアダプタ２０の同方向の接続開口端に向かって突設されると共に、他方の接合端壁には、他方の円筒２３ｂがアダプタ２０の同方向の接続開口端に向かって形成されている。そして、両円筒が光学軸上で中心軸を一致させて接合端壁同士を、図１０（ｄ）に示すような互いに逆向きとなって対向形成されているそれぞれ二つの係合爪２５と係合孔２６との各係合を介して固定することによって上下で各二対となった合計４芯のスリーブホルダー２３が形成される。このとき、各スリーブホルダー２３内側に円筒状の割りスリーブ２４がそれぞれ装着され保持されている。
【００３４】
尚、図９（ｂ）、図１０（ｅ）、図１１に示すように、アダプタ２０のハウジング２２左右側面には、当該アダプタ２０をパネルのアダプタ取付孔に挿入し、アダプタ取付孔の開口縁部を挟んで固定するための左右一対となったガタ止め係止片２７が付設されている。
【００３５】
そして、アダプタ２０の内壁には、中央のスリーブホルダー２３を介して、左右一対の係合弾性片２１が互いに内向きとなって対向突設されており、プラグ本体Ｐが接続開口端に挿入された際には、前側ケース部１ａの係合部８によって係合弾性片２１を押し退けて外側に若干撓曲させてから当該係合弾性片２１先端の係止突起２１ａが係合部８に係架されるようになっている（図９（ａ）参照）。このとき、図１２（ａ）、図１２（ｂ）、図１２（ｃ）に示すように、係合弾性片２１の先端にある係止突起２１ａの両側には耳部２１ｂが形成され、これに対向してツマミ１７の先端には断面台形状のカム部１７ａが形成されており、後述するように、耳部２１ｂとカム部１７ａとは、アダプタ２０からプラグ本体Ｐを抵抗無くスムーズに抜くためのガイドの役割を担っている。
【００３６】
こうして、２芯のプラグ本体Ｐが１組となって形成され、図１１に示すように、これらプラグ本体Ｐの２つを４芯のアダプタ２０に同時に接続できるようにしている。
【００３７】
尚、図示による説明を省略するが、上下４段のハウジング２２による８芯のアダプタ２０に、２芯のプラグ本体Ｐの４つを接続しても良い。あるいは、プラグ本体Ｐ自体を上記したように２芯構造とする以外に、３本または４本以上のフェルールに対応すべく３芯または４芯以上の構成とし、アダプタ２０もこれに対応して６芯または８芯以上の構成としても良い。これらアダプタの芯数、２芯のプラグ本体Ｐの個数、プラグ本体Ｐの芯数およびプラグ本体Ｐおよびアダプタ２０の横向き、縦向き（図１１に示す）等は本発明を何等拘束するものではないことは勿論である。
【００３８】
次に、以上のように構成された本発明に係る多連結型光コネクタについての使用、組立（２連式）の一例について説明する。
【００３９】
先ず、図１に示すように、後側ケース部１ｂの２つの挿入孔３’、３’に、チューブ２ｃの後端側を各スプリング２ｄを介して挿入する。そして、前側ケース部１ａを後側ケース部１ｂに被せて、係止突起５ａ、５ｂの係止孔部６ａ、６ｂへの嵌合によって両ケース部１ａ、１ｂ同士を固定する。
【００４０】
こうして、図２に示すように、互いに連通した前側ケース部１ａの各挿入孔３、３と、後側ケース部１ｂの各挿入孔３’、３’との各内部にフェルール２ａ、フェルールホルダー２ｂ、チューブ２ｃ、スプリング２ｄそれぞれが収納された単一のケース１が組み立てられる。
【００４１】
この際、光ケーブルＫはブーツ６、ストップリング２ｅ、カシメリング２ｆそれぞれに挿入されると共に、光ケーブルＫ先端で剥離された芯線は、ケース１に組み付けられた各チューブ２ｃを介してフェルール２ａの中心に設けられたファイバ孔に挿着される。
【００４２】
そして、図３に示すように、一対のホルダ部１１ａ、１１ｂを、ケース１とストップリング２ｅとに跨って互いに合致させ、係止突部１５が係合孔１２ａに嵌合することで両ホルダ部１１ａ、１１ｂは互いに固定される。
【００４３】
こうして、図４、図５、図７、図８に示すように、各フェルール２ａに対応してケース１とストップリング２ｅとの間に露出している複数の光ケーブルＫが一対のホルダ部１１ａ、１１ｂによって覆われることで保護される。
【００４４】
さらに、図９（ａ）および図９（ｂ）に示すように、このプラグ本体Ｐの２つを４芯のアダプタ２０に接続する。このとき、ツマミ１７の両端を親指と人差し指とで持ってアダプタ２０の接続開口端に挿入する。
【００４５】
プラグ本体Ｐが接続開口端に挿入されると、前側ケース部１ａの係合部８によって係合弾性片２１が押し退けられて外側に若干撓んで拡開する。そして、プラグ本体Ｐの更なる押し込みにより係合弾性片２１は元位置に弾性復帰され、先端の係止突起２１ａは係合部８に係架して固定される。
【００４６】
また、アダプタ２０の接続開口端からプラグ本体Ｐを引き抜く際には、ツマミ１７の両端を親指と人差し指とで持ってプラグ本体Ｐを強制的に引っ張ることで、係合弾性片２１がカム部１７ａによって外側に若干撓んで拡開される。
【００４７】
すなわち、図１２（ａ）に示すように、係合弾性片２１の先端にある係止突起２１ａの両側に形成されている耳部２１ｂが、係合弾性片２１自体を外側に撓ませながら、ツマミ１７の先端に形成されている断面台形状のカム部１７ａの後傾斜面を乗り上げ、図１２（ｂ）に示すように、耳部２１ｂはカム部１７ａの台形上底面でいったんスライドし、図１２（ｃ）に示すように、耳部２１ｂはカム部１７ａの前傾斜面よりも前方側に移動した時には、係合弾性片２１の係止突起２１ａから係合部８が外れた状態となる。こうしてプラグ本体Ｐがアダプタ２０から容易に抜脱される。このように、係止突起２１ａ両側の耳部２１ｂと、ツマミ１７先端のカム部１７ａとが、アダプタ２０からプラグ本体Ｐを抵抗無くスムーズに抜くためのガイドとなっている。
【００４８】
このように簡易な構成としたツマミ１７の押圧乃至引っ張り操作のみにより、プラグ本体Ｐはアダプタ２０に対してワンタッチで且つ迅速に脱着させることができる。
【符号の説明】
【００４９】
Ｐ              プラグ本体
Ｋ              光ケーブル
Ｖ              ブーツ
１              ケース
１ａ            前側ケース部
１ｂ            後側ケース部
２ａ            フェルール
２ｂ            フェルールホルダー
２ｃ            チューブ
２ｄ            スプリング
２ｅ            ストップリング
２ｆ            カシメリング
３、３’        挿入孔
５ａ、５ｂ      係止突起
６ａ、６ｂ      係止孔部
７              フランジ
８              係合部（抜け止め機構）
９              係止部
１０            係架部
１１ａ、１１ｂ  ホルダ部
１２            係止片
１２ａ          係合孔
１３ａ          矩形溝部
１３ｂ          円弧溝部
１４            嵌合突起
１５            係止突部
１６            嵌合穴部
１７            ツマミ
１７ａ          カム部
２０            アダプタ
２１            係合弾性片（抜け止め機構）
２１ａ          係止突起
２１ｂ          耳部
２２            ハウジング
２３            スリーブホルダー
２４            円筒状の割りスリーブ
２５            係合爪
２６            係合孔
２７            ガタ止め係止片
【図１】
2012053375.tif 000003
【図２】
2012053375.tif 000004
【図３】
2012053375.tif 000005
【図４】
2012053375.tif 000006
【図５】
2012053375.tif 000007
【図６】
2012053375.tif 000008
【図７】
2012053375.tif 000009
【図８】
2012053375.tif 000010
【図９】
2012053375.tif 000011
【図１０】
2012053375.tif 000012
【図１１】
2012053375.tif 000013
【図１２】
2012053375.tif 000014